(57)【要約】【課題】複数の受信部を用いて複数のチャンネルの信号を受信する場合に、複数のチャンネルの信号各々が所定の品質を保持することが可能な受信装置を提供する。【解決手段】受信装置である録画装置１は、６つのチャンネルの信号を受信する６個のチューナと、６個のチューナを用いて受信する６つのチャンネルの選択を受け付ける操作部６と、信号の強度を検出する信号強度検出部１０と、信号のビットエラーレートを検出するエラー情報検出部１１と、操作部６が選択を受け付けた６つのチャンネルの信号について信号強度とビットエラーレートとが各々所定の条件を満たす６個のチューナと６つのチャンネルとの組合せを導出する制御部７と、を備える。【選択図】図１
2015035748.tif 000002
【特許請求の範囲】
【請求項１】
複数のチャンネルの信号を受信する複数の受信部と、
前記複数の受信部を用いて受信する前記複数のチャンネルの選択を受け付ける操作部と、
前記信号の強度を検出する信号強度検出部と、
前記信号のエラー情報を検出するエラー情報検出部と、
前記操作部が選択を受け付けた前記複数のチャンネルの信号について前記信号強度と前記エラー情報とが各々所定の条件を満たす前記複数の受信部と前記複数のチャンネルとの組合せを導出する制御部と、
を備えることを特徴とする受信装置。
【請求項２】
前記制御部は、前記組合せに係る前記複数の受信部と前記複数のチャンネルとを順次入れ替えながら前記組合せ毎に前記信号強度と前記エラー情報とが各々前記所定の条件を満たすか否かの判別を繰り返し、前記信号強度と前記エラー情報とが各々前記所定の条件を満たす前記組合せを導出することを特徴とする請求項１に記載の受信装置。
【請求項３】
前記制御部は、前記複数のチャンネルの信号の周波数の間隔が互いに最も近接する２つの前記チャンネルを構造上の距離が最も遠い２個の前記受信部に割り当てることを特徴とする請求項１または請求項２に記載の受信装置。
【請求項４】
前記制御部は、予め測定した前記複数の受信部各々が受けるノイズの影響に基づいて、前記信号強度と前記エラー情報とが低レベルである前記チャンネルから順次、前記ノイズの影響が少ない前記受信部から順に割り当てることをすべての前記チャンネルについて繰り返すことを特徴とする請求項１〜請求項３のいずれか１項に記載の受信装置。
【請求項５】
前記制御部は、前記信号強度と前記エラー情報とが各々前記所定の条件を満たすよう導出済みの前記組合せに係る予め記憶した組合せデータを利用することを特徴とする請求項１〜請求項４のいずれか１項に記載の受信装置。
【請求項６】
前記制御部は、前記組合せデータと前記組合せの導出当時の気象条件とを関連付けして予め記憶した気象相関データに基づいて、前記受信部が受信する気象情報に対応する前記気象相関データのなかの前記組合せを利用することを特徴とする請求項５に記載の受信装置。
【請求項７】
一定期間毎に前記信号強度と前記エラー情報とが各々前記所定の条件を満たす前記組合せを導出することを特徴とする請求項１〜請求項６のいずれか１項に記載の受信装置。
【発明の詳細な説明】
【技術分野】
【０００１】
本発明は受信装置に関する。
【背景技術】
【０００２】
テレビジョン受信機やレコーダなどの電気機器には放送信号の受信を行う受信装置を備えたものがある。受信装置には複数の受信部を備えたものがあり、そのような従来の受信装置が例えば特許文献１に開示されている。
【０００３】
特許文献１に記載された従来の受信装置は複数の受信部（チューナ）を備え、視聴に使用していない受信部を用いて、受信した放送信号の信号レベルと比較するための基準電圧レベルの設定の更新を実行するようにしている。これにより、その更新を視聴に影響しないタイミングで実行することができ、最適な受信状態で放送を視聴することを可能にしている。
【先行技術文献】
【特許文献】
【０００４】
【特許文献１】特開２００６−５０５８５号公報
【発明の概要】
【発明が解決しようとする課題】
【０００５】
ここで、受信装置が受信する信号はその品質に関して周りの環境の影響を受け易いことがある。そして、複数の受信部（チューナ）を用いて複数のチャンネルの信号を受信する場合、それら信号どうしが互いに干渉し合って信号の品質が低下する可能性がある。特に、昨今受信装置の小型化が進み、受信部どうしの間隔が狭くなり、信号どうしの干渉が発生し易くなっていることが懸念される。これにより、例えばユーザが受信コンテンツを好適に視聴することができなくなる虞がある。
【０００６】
本発明は、上記の点に鑑みなされたものであり、複数の受信部を用いて複数のチャンネルの信号を受信する場合に、複数のチャンネルの信号各々が所定の品質を保持することが可能な受信装置を提供することを目的とする。
【課題を解決するための手段】
【０００７】
上記の課題を解決するため、本発明の受信装置は、複数のチャンネルの信号を受信する複数の受信部と、前記複数の受信部を用いて受信する前記複数のチャンネルの選択を受け付ける操作部と、前記信号の強度を検出する信号強度検出部と、前記信号のエラー情報を検出するエラー情報検出部と、前記操作部が選択を受け付けた前記複数のチャンネルの信号について前記信号強度と前記エラー情報とが各々所定の条件を満たす前記複数の受信部と前記複数のチャンネルとの組合せを導出する制御部と、を備えることを特徴としている。
【０００８】
この構成によれば、受信装置はユーザの所望により選択され受信する複数のチャンネルの信号について各々信号強度とエラー情報とを取得する。そして、それら信号強度とエラー情報とが各々所定の条件を満たすように複数の受信部と複数のチャンネルとの組合せを導出する。したがって、受信装置は信号どうしが互いに干渉し合って信号の品質が低下することを回避する。ユーザは受信コンテンツを好適に視聴することができる。
【０００９】
また、上記構成の受信装置において、前記制御部は、前記組合せに係る前記複数の受信部と前記複数のチャンネルとを順次入れ替えながら前記組合せ毎に前記信号強度と前記エラー情報とが各々前記所定の条件を満たすか否かの判別を繰り返し、前記信号強度と前記エラー情報とが各々前記所定の条件を満たす前記組合せを導出することを特徴としている。
【００１０】
この構成によれば、受信装置は複数の受信部と複数のチャンネルとを順次入れ替えながらそれらの組合せ毎に信号強度とエラー情報とが各々所定の条件を満たすか否かの判別を繰り返す。したがって、受信装置はすべてのチャンネルの信号について品質が低下することを回避し得る。
【００１１】
また、上記構成の受信装置において、前記制御部は、前記複数のチャンネルの信号の周波数の間隔が互いに最も近接する２つの前記チャンネルを構造上の距離が最も遠い２個の前記受信部に割り当てることを特徴としている。
【００１２】
互いの信号の周波数の間隔が比較的接近している２つのチャンネルは信号どうしの干渉が発生し易いことが分かっている。そこでこの構成によれば、受信装置は信号どうしの干渉が発生し易いことが想定されるチャンネル各々を、構造上の距離ができるだけ遠くなるよう各受信部に割り当てる。したがって、受信装置は信号強度とエラー情報とが各々所定の条件を満たす複数の受信部と複数のチャンネルとの組合せを迅速に導出する。
【００１３】
また、上記構成の受信装置において、前記制御部は、予め測定した前記複数の受信部各々が受けるノイズの影響に基づいて、前記信号強度と前記エラー情報とが低レベルである前記チャンネルから順次、前記ノイズの影響が少ない前記受信部から順に割り当てることをすべての前記チャンネルについて繰り返すことを特徴としている。
【００１４】
受信装置の受信部は近隣の他の構成要素から発生するノイズの影響を受ける場合がある。そこでこの構成によれば、受信装置は信号強度とエラー情報とが低レベルであるチャンネルから順次、ノイズの影響が少ない受信部から順に割り当てる。したがって、受信装置はノイズの影響を考慮しながら、複数のチャンネルの信号について品質が低下することを回避し得る。
【００１５】
また、上記構成の受信装置において、前記制御部は、前記信号強度と前記エラー情報とが各々前記所定の条件を満たすよう導出済みの前記組合せに係る予め記憶した組合せデータを利用することを特徴としている。
【００１６】
この構成によれば、受信装置は信号強度とエラー情報とが各々所定の条件を満たす複数の受信部と複数のチャンネルとの組合せをより一層迅速に導出する。
【００１７】
また、上記構成の受信装置において、前記制御部は、前記組合せデータと前記組合せの導出当時の気象条件とを関連付けして予め記憶した気象相関データに基づいて、前記受信部が受信する気象情報に対応する前記気象相関データのなかの前記組合せを利用することを特徴としている。
【００１８】
受信部が受信する信号は気象条件の影響を受ける場合がある。そこでこの構成によれば、受信装置は気象条件が信号の品質に悪影響を及ぼさないように各チャンネルを各受信部に割り当てる。したがって、受信装置は気象条件の影響を考慮しながら、複数のチャンネルの信号について品質が低下することを回避し得る。
【００１９】
また、上記構成の受信装置において、一定期間毎に前記信号強度と前記エラー情報とが各々前記所定の条件を満たす前記組合せを導出することを特徴としている。
【００２０】
この構成によれば、受信装置は時間の経過とともに変化する信号の品質に対応する。したがって、受信装置は複数のチャンネルの信号各々を所定の品質に維持する。
【発明の効果】
【００２１】
本発明の構成によれば、複数の受信部を用いて複数のチャンネルの信号を受信する場合に、複数のチャンネルの信号各々が所定の品質を保持することが可能な受信装置を提供することができる。
【図面の簡単な説明】
【００２２】
【図１】本発明の第１実施形態の受信装置の一例である録画装置を示すブロック図である。
【図２】本発明の第１実施形態の録画装置における複数のチューナと複数のチャンネルとの組合せの導出処理を示すフローチャートである。
【図３】本発明の第２実施形態の録画装置における複数のチューナと複数のチャンネルとの組合せの導出処理を示すフローチャートである。
【図４】本発明の第３実施形態の録画装置における複数のチューナと複数のチャンネルとの組合せの導出処理を示すフローチャートである。
【図５】本発明の第４実施形態の録画装置における複数のチューナと複数のチャンネルとの組合せの導出処理を示すフローチャートである。
【図６】本発明の第５実施形態の録画装置における複数のチューナと複数のチャンネルとの組合せの導出処理を示すフローチャートである。
【発明を実施するための形態】
【００２３】
以下、本発明の実施形態を図１〜図６に基づき説明する。なおここでは、本発明の受信装置の一例としてテレビジョン放送の録画装置を掲げてその実施形態を説明する。受信装置を内蔵するとともに、モニタ及びスピーカを用いてテレビジョン放送の視聴が可能なテレビジョン受信機も同様である。
【００２４】
＜第１実施形態＞
最初に、本発明の第１実施形態の受信装置の一例である録画装置について、図１を用いてその構成を説明する。図１は録画装置を示すブロック図である。
【００２５】
録画装置１は、図１に示すようにチューナ部２０、信号処理部３、記録部４、出力部５、操作部６、制御部７、メインメモリ８、フラッシュメモリ９、信号強度検出部１０及びエラー情報検出部１１を備える。録画装置１は不図示のアンテナやモニタ、或いはテレビジョン受信機に電気的に接続され、テレビジョン放送の録画のために利用される。
【００２６】
チューナ部２０はテレビジョン放送局から提供される放送信号の受信に利用される。チューナ部２０は不図示のアンテナから受信した放送信号の選局及び復調を行う。録画装置１はチューナ部２０に第１チューナ２１から第６チューナ２６までの６個のチューナ（受信部）を備える。それら６個のチューナを用いることで、録画装置１は同じ時間帯に提供される６つの放送信号を受信することができる。すなわち、録画装置１は同じ時間帯に提供される６つのテレビ番組（以下単に「番組」と称す）を録画することができる。なお、図１に示すように、第１チューナ２１と第６チューナ２６とが構造上の距離が最も遠く、続いて第２チューナ２２と第５チューナ２５とが遠くなるよう配置される。
【００２７】
信号処理部３はチューナ部２０から受け取った放送信号を記録部４、出力部５または制御部７に送信する。また、信号処理部３は再生処理がなされた記録部４の録画番組に係る映像音声信号を出力部５に送信する。信号処理部３は放送信号やそれに含まれる映像音声信号に対して分離、復号などといった処理を実行する。
【００２８】
記録部４はチューナ部２０及び信号処理部３を介して放送信号として取得した番組を録画する。記録部４は複数の番組を録画することができる。記録部４はＨＤＤ（Hard disk drive）や光ディスク装置などからなり、録画装置１に内蔵されているもののほか、外付けされていても良い。
【００２９】
出力部５は信号処理部３から受け取った映像音声信号や、メニュー画面、電子番組ガイド等の画像信号を外部に出力する。出力部５の出力信号は録画装置１に電気的に接続される例えばモニタ（図示せず）に送出される。モニタは出力部５の出力信号に基づく映像及び画面データを画面に出力し、音声をスピーカから出力する。
【００３０】
操作部６は録画装置１の筐体表面や不図示のリモコンに設けられた複数の各種操作キーを備える。例えば、操作部６はユーザによる視聴チャンネルの選局に係る操作や、番組の録画予約に係る操作などを受け付ける。
【００３１】
制御部７は不図示の演算部やその他の電子部品で構成される。制御部７はメインメモリ８やフラッシュメモリ９等に記憶、入力されたプログラム、データに基づき、録画装置１の各構成要素から情報を得るとともにそれら構成要素の動作を制御して一連の放送信号の受信処理、録画処理及び出力処理を実現する。
【００３２】
メインメモリ８は各種データを記憶する記憶媒体であり、例えば書き込み可能なＲＡＭ（Random Access Memory）等で構成される。メインメモリ８は、例えば制御部７によって各種情報処理が行われる際の処理データやユーザから受け付けた指令命令等を一時的に記憶しておくためのバッファメモリとしての役割を持つ。
【００３３】
フラッシュメモリ９はＥＥＰＲＯＭ（Electrically Erasable Programmable Read-Only Memory）の一種で、ユーザによるデータの書き込み、消去が可能な記憶媒体である。フラッシュメモリ９は回路基板に実装したままで書き込み、消去が可能である。フラッシュメモリ９は録画装置１の利用時に書き換えが必要な用途、例えば装置の動作設定データやユーザ固有の情報を記憶するために用いられる。
【００３４】
信号強度検出部１０は放送信号の強度を検出する。エラー情報検出部１１は放送信号のエラー情報を検出する。エラー情報としては例えばビットエラーレート（BER：Bit error rate）であり、エラー情報検出部１１は例えば受信した信号の復調時のビットエラーレートを検出する。
【００３５】
そして、制御部７は、操作部６がユーザから選択を受け付けた複数のチャンネルの信号について信号強度とビットエラーレートとが各々所定の条件を満たす複数のチューナ（第１チューナ２１〜第６チューナ２６）と複数のチャンネルとの組合せを導出する。
【００３６】
このような録画装置１における複数のチューナと複数のチャンネルとの組合せの導出処理について、図２に示すフローに沿って説明する。図２は録画装置１における複数のチューナと複数のチャンネルとの組合せの導出処理を示すフローチャートである。なお、以下で説明する複数のチューナと複数のチャンネルとの組合せの導出処理において、例えばユーザがｃｈ１〜ｃｈ６の６チャンネル分の番組の録画を所望しているものとする。
【００３７】
録画装置１は操作部６からユーザによる録画チャンネルの選択を受け付けると（図２のスタート）、制御部７はｃｈ１〜ｃｈ６の録画チャンネルを第１チューナ２１〜第６チューナ２６に割り当てる（ステップ＃１０１）。第１チューナ２１〜第６チューナ２６とｃｈ１〜ｃｈ６の録画チャンネルとの組合せは７２０通り存在する。制御部７はこの７２０通りの組合せのうち１つを選出し、選出した組合せに基づきｃｈ１〜ｃｈ６の録画チャンネルを第１チューナ２１〜第６チューナ２６に割り当てる。
【００３８】
次に、録画装置１は第１チューナ２１〜第６チューナ２６各々に割り当てたｃｈ１〜ｃｈ６の録画チャンネルについて、信号強度とビットエラーレートとを検出する（ステップ＃１０２）。なお、信号強度は信号強度検出部１０が検出し、ビットエラーレートはエラー情報検出部１１が検出する。
【００３９】
続いて、制御部７は信号強度が第１所定値以上であるか否かと、ビットエラーレートが第２所定値以下であるか否かを判別する（ステップ＃１０３）。信号強度が第１所定値以上であり、ビットエラーレートが第２所定値以下である場合（ステップ＃１０３のＹｅｓ）、制御部７は記録部４への録画を開始する（ステップ＃１０４）。そして、制御部７は録画装置１の複数のチューナと複数のチャンネルとの組合せの導出処理を終了する（図２のエンド）。
【００４０】
一方、信号強度が第１所定値未満であり、ビットエラーレートが第２所定値を超える場合（ステップ＃１０３のＮｏ）、制御部７はチューナとチャンネルとを入れ替えて組合せを変更する（ステップ＃１０５）。そして、制御部は６個のチューナと６つのチャンネルとを順次入れ替えながら組合せ毎に信号強度とビットエラーレートとが各々所定の条件を満たすか否かの判別（ステップ＃１０２及びステップ＃１０３）を繰り返し、信号強度とビットエラーレートとが各々所定の条件を満たす組合せを導出する。
【００４１】
上記のように、録画装置１は、６つのチャンネルの信号を受信する６個のチューナと、６個のチューナを用いて受信する６つのチャンネルの選択を受け付ける操作部６と、信号の強度を検出する信号強度検出部１０と、信号のビットエラーレートを検出するエラー情報検出部１１と、操作部６が選択を受け付けた６つのチャンネルの信号について信号強度とビットエラーレートとが各々所定の条件を満たす６個のチューナと６つのチャンネルとの組合せを導出する制御部７と、を備える。これにより、録画装置１はユーザの所望により選択され受信する６つのチャンネルの信号について各々信号強度とビットエラーレートとを取得する。そして、それら信号強度とビットエラーレートとが各々所定の条件を満たすように６個のチューナと６つのチャンネルとの組合せを導出する。したがって、録画装置１は信号どうしが互いに干渉し合って信号の品質が低下することを回避することが可能である。ユーザは受信コンテンツを好適に視聴することができる。
【００４２】
また、制御部７は、組合せに係る６個のチューナと６つのチャンネルとを順次入れ替えながら組合せ毎に信号強度とビットエラーレートとが各々所定の条件を満たすか否かの判別を繰り返し、信号強度とビットエラーレートとが各々所定の条件を満たす組合せを導出する。これにより、録画装置１はすべてのチャンネルの信号について品質が低下することを回避することが可能である。
【００４３】
また、録画装置１は一定期間毎に信号強度とビットエラーレートとが各々所定の条件を満たす組合せを導出する。この構成によれば、録画装置１は時間の経過とともに変化する信号の品質に対応することができる。したがって、録画装置１は複数のチャンネルの信号各々を所定の品質に維持することが可能である。
【００４４】
＜第２実施形態＞
次に、本発明の第２実施形態の録画装置について、図３を用いて説明する。図３は録画装置における複数のチューナと複数のチャンネルとの組合せの導出処理を示すフローチャートである。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００４５】
第２実施形態の録画装置１では、操作部６からユーザによる録画チャンネルの選択を受け付けると（図３のスタート）、制御部７が、周波数が最も近接する２つのチャンネル各々を構造上の距離が最も遠い第１チューナ２１と第６チューナ２６とに割り当てる（ステップ＃２０１）。
【００４６】
続いて、制御部７は次に周波数が近接する２つのチャンネル各々を次に構造上の距離が遠い第２チューナ２２と第５チューナ２５とに割り当てる（ステップ＃２０２）。このとき、第２チューナ２２と第５チューナ２５とに割り当てるチャンネルの周波数が、既に第１チューナ２１と第６チューナ２６とに割り当てたチャンネルの周波数にできるだけ接近しないよう組合せに配慮する。
【００４７】
そして、制御部７は未割り当てのチャンネルがなくなったか否かを判別する（ステップ＃２０３）。引き続き、制御部７はステップ＃２０２とステップ＃２０３とを繰り返し、周波数の間隔が互いに近接する２つのチャンネルを構造上の距離が比較的遠い２個のチューナに割り当てる。
【００４８】
未割り当てのチャンネルがなくなると（ステップ＃２０３のＹｅｓ）、制御部７は記録部４への録画を開始する（ステップ＃２０４）。そして、制御部７は録画装置１の複数のチューナと複数のチャンネルとの組合せの導出処理を終了する（図３のエンド）。
【００４９】
互いの信号の周波数の間隔が比較的接近している２つのチャンネルは信号どうしの干渉が発生し易いことが分かっている。そこでこの構成によれば、録画装置１は信号どうしの干渉が発生し易いことが想定されるチャンネル各々を、構造上の距離ができるだけ遠くなるよう各チューナに割り当てる。したがって、録画装置１は信号強度とビットエラーレートとが各々所定の条件を満たす６個のチューナと６つのチャンネルとの組合せを迅速に導出することが可能である。
【００５０】
＜第３実施形態＞
次に、本発明の第３実施形態の録画装置について、図４を用いて説明する。図４は録画装置における複数のチューナと複数のチャンネルとの組合せの導出処理を示すフローチャートである。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００５１】
第３実施形態の録画装置１では、操作部６からユーザによる録画チャンネルの選択を受け付けると（図４のスタート）、各チャンネルの信号強度とビットエラーレートとを検出する（ステップ＃３０１）。なお、信号強度は信号強度検出部１０が検出し、ビットエラーレートはエラー情報検出部１１が検出する。
【００５２】
続いて、制御部７は第１チューナ２１〜第６チューナ２６の各々に固有のノイズ影響データを取得する（ステップ＃３０２）。ここで、ノイズ影響データは第１チューナ２１〜第６チューナ２６が受ける記録部４や制御部７などの他の構成要素から発生するノイズの影響について予め測定したデータである。ノイズ影響データはメインメモリ８やフラッシュメモリ９などといった記憶部に予め記憶される。
【００５３】
次に、制御部７はステップ＃３０１で検出した各チャンネルの信号強度とビットエラーレートとが最も低レベルである、すなわち信号レベルが最も低いチャンネルをノイズの影響が最も少ないチューナに割り当てる（ステップ＃３０３）。
【００５４】
続いて、制御部７は次に信号レベルが低いチャンネル各々を次にノイズの影響が最も少ないチューナに割り当てる（ステップ＃３０４）。そして、制御部７は未割り当てのチャンネルがなくなったか否かを判別する（ステップ＃３０５）。引き続き、制御部７はステップ＃３０４とステップ＃３０５とを繰り返し、信号強度とビットエラーレートとが低レベルであるチャンネルから順次、ノイズの影響が少ないチューナから順に割り当てる。
【００５５】
未割り当てのチャンネルがなくなると（ステップ＃３０５のＹｅｓ）、制御部７は記録部４への録画を開始する（ステップ＃３０６）。そして、制御部７は録画装置１の複数のチューナと複数のチャンネルとの組合せの導出処理を終了する（図４のエンド）。
【００５６】
記録装置１の各チューナは近隣の他の構成要素から発生するノイズの影響を受ける場合がある。そこでこの構成によれば、記録装置１は信号強度とビットエラーレートとが低レベルであるチャンネルから順次、ノイズの影響が少ないチューナから順に割り当てる。したがって、記録装置１はノイズの影響を考慮しながら、複数のチャンネルの信号について品質が低下することを回避することが可能である。
【００５７】
＜第４実施形態＞
次に、本発明の第４実施形態の録画装置について、図５を用いて説明する。図５は録画装置における複数のチューナと複数のチャンネルとの組合せの導出処理を示すフローチャートである。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００５８】
第４実施形態の録画装置１では、操作部６からユーザによる録画チャンネルの選択を受け付けると（図５のスタート）、制御部７が、既に導出済みの組合せデータを参照する（ステップ＃４０１）。導出済みの組合せデータは信号強度とビットエラーレートとが各々所定の条件を満たすよう予め導出された第１チューナ２１〜第６チューナ２６と６つのチャンネルとの組合せデータである。導出済みの組合せデータはメインメモリ８やフラッシュメモリ９などといった記憶部に予め記憶される。
【００５９】
続いて、制御部７はユーザが選択した６つの録画チャンネルに対応する導出済みの組合せがあるか否かを判別する（ステップ＃４０２）。導出済みの組合せがある場合（ステップ＃４０２のＹｅｓ）、制御部７は６個のチューナと６つのチャンネルとの既存の組合せを採用する（ステップ＃４０３）。
【００６０】
一方、ユーザが選択した６つの録画チャンネルに対応する導出済みの組合せがない場合（ステップ＃４０２のＮｏ）、制御部７は６個のチューナと６つのチャンネルとの組合せの導出処理を実行する（ステップ＃４０４）。組合せの導出処理としては、例えば第１〜第３実施形態で説明した処理方法が採用される。
【００６１】
そして、ステップ＃４０３或いはステップ＃４０４の後、制御部７は録画装置１の複数のチューナと複数のチャンネルとの組合せの導出処理を終了する（図５のエンド）。
【００６２】
このようにして、制御部７は信号強度とビットエラーレートとが各々所定の条件を満たすよう導出済みの組合せに係る予め記憶した組合せデータを利用する。この構成によれば、録画装置１は信号強度とビットエラーレートとが各々所定の条件を満たす複数のチューナと複数のチャンネルとの組合せをより一層迅速に導出ことが可能である。
【００６３】
＜第５実施形態＞
次に、本発明の第５実施形態の録画装置について、図６を用いて説明する。図６は録画装置における複数のチューナと複数のチャンネルとの組合せの導出処理を示すフローチャートである。なお、この実施形態の基本的な構成は図１及び図２を用いて説明した第１実施形態と同じであるので、第１実施形態と共通する構成要素には前と同じ符号を付し、図面の記載及びその説明を省略するものとする。
【００６４】
第５実施形態の録画装置１では、操作部６からユーザによる録画チャンネルの選択を受け付けると（図６のスタート）、制御部７がチューナ部２０を介してテレビジョン放送局から提供される放送信号に含まれる現在の気象情報データを取得する（ステップ＃５０１）。
【００６５】
さらに、制御部７は気象相関データを参照する（ステップ＃５０２）。気象相関データは信号強度とビットエラーレートとが各々所定の条件を満たすよう予め導出された第１チューナ２１〜第６チューナ２６と６つのチャンネルとの組合せデータであって、導出当時の気象条件が関連付けされている。気象相関データはメインメモリ８やフラッシュメモリ９などといった記憶部に予め記憶される。
【００６６】
続いて、制御部７はユーザが選択した６つの録画チャンネルに関して、気象相関データのなかに現在の気象情報に対応する導出済みの組合せがあるか否かを判別する（ステップ＃５０３）。導出済みの組合せがある場合（ステップ＃５０３のＹｅｓ）、制御部７は６個のチューナと６つのチャンネルとの既存の組合せを採用する（ステップ＃５０４）。
【００６７】
一方、ユーザが選択した６つの録画チャンネルに関して、気象相関データのなかに現在の気象情報に対応する導出済みの組合せがない場合（ステップ＃５０３のＮｏ）、制御部７は６個のチューナと６つのチャンネルとの組合せの導出処理を実行する（ステップ＃５０５）。組合せの導出処理としては、例えば第１〜第３実施形態で説明した処理方法が採用される。
【００６８】
そして、ステップ＃５０４或いはステップ＃５０５の後、制御部７は録画装置１の複数のチューナと複数のチャンネルとの組合せの導出処理を終了する（図６のエンド）。
【００６９】
チューナが受信する信号は気象条件の影響を受ける場合がある。そこでこの構成によれば、録画装置１は気象条件が信号の品質に悪影響を及ぼさないように各チャンネルを各チューナに割り当てる。したがって、録画装置１は気象条件の影響を考慮しながら、複数のチャンネルの信号について品質が低下することを回避することが可能である。
【００７０】
以上、本発明の実施形態につき説明したが、本発明の範囲はこれに限定されるものではなく、発明の主旨を逸脱しない範囲で種々の変更を加えて実施することができる。
【００７１】
ここで、第１〜第３実施形態各々で説明した、信号強度とビットエラーレートとが各々所定の条件を満たす複数のチューナと複数のチャンネルとの組合せの導出処理方法について、信号強度とビットエラーレートとの必要条件が第１〜第３実施形態において同じであっても良いし、異なっても良い。
【産業上の利用可能性】
【００７２】
本発明は受信装置において利用可能である。
【符号の説明】
【００７３】
１    録画装置（受信装置）
７    制御部
１０    信号強度検出部
１１    エラー情報検出部
２０    チューナ部
２１    第１チューナ（受信部）
２２    第２チューナ（受信部）
２３    第３チューナ（受信部）
２４    第４チューナ（受信部）
２５    第５チューナ（受信部）
２６    第６チューナ（受信部）
【図１】
2015035748.tif 000003
【図２】
2015035748.tif 000004
【図３】
2015035748.tif 000005
【図４】
2015035748.tif 000006
【図５】
2015035748.tif 000007
【図６】
2015035748.tif 000008